(57)【要約】【課題】操作者によるガイダンスの選択ミスによって誤ったガイダンスが出力されることを防止できる、放射線撮影制御装置及び放射線撮影システムを提供すること。【解決手段】放射線撮影制御装置１０は、検査のオーダー情報を入力する入力部としての通信部１１と、オーダー情報に基づいて被検者の動態を誘導するためのガイダンスを選択するガイダンス選択部１３と、を有する。これにより、オーダー情報を有効活用して、操作者によるガイダンスの選択ミスに起因して誤ったガイダンスが出力されることを防止できる。【選択図】図２
2020182660.tif 000002
【特許請求の範囲】
【請求項１】
放射線撮影装置と、当該放射線撮影装置を制御する放射線撮影制御装置と、を含む放射線撮影システムに用いられる前記放射線撮影制御装置であって、
検査のオーダー情報を入力する入力部と、
前記入力部から入力した前記オーダー情報に基づいて、被検者の動態を誘導するためのガイダンスを選択するガイダンス選択部と、
を具備する放射線撮影制御装置。
【請求項２】
前記オーダー情報は、ＨＩＳサーバー又はＲＩＳサーバーから出力されたものである、
請求項１に記載の放射線撮影制御装置。
【請求項３】
前記オーダー情報には、撮影種別、撮影手技及び又は患者情報が含まれており、
前記ガイダンス選択部は、前記撮影種別、撮影手技及び又は患者情報に基づいて前記ガイダンスを選択する、
請求項１に記載の放射線撮影制御装置。
【請求項４】
複数のガイダンスが前記撮影種別、前記撮影手技及び又は前記患者情報に紐付けられて記憶された記憶部を、さらに具備し、
前記ガイダンス選択部は、前記記憶部の前記複数のガイダンスの中から、入力されたオーダー情報に対応するガイダンスを選択する、
請求項３に記載の放射線撮影制御装置。
【請求項５】
前記ガイダンス選択部は、前記オーダー情報に含まれる患者情報が同一患者を示す場合には、過去のガイダンスと検査結果とを参考に、前記ガイダンスを選択する、
請求項１に記載の放射線撮影制御装置。
【請求項６】
前記ガイダンス選択部は、前記オーダー情報に含まれる患者情報に応じた音声レベルのガイダンスを選択する、
請求項１に記載の放射線撮影制御装置。
【請求項７】
前記ガイダンスを手動に変更可能な操作部を、さらに具備する、
請求項１から６のいずれか一項に記載の放射線撮影制御装置。
【請求項８】
前記ガイダンス選択部は、前記放射線撮影装置が配置された撮影室と、前記放射線撮影制御装置が配置された制御室とに対して、別々の音声ガイダンスを選択する、
請求項１から７のいずれか一項に記載の放射線撮影制御装置。
【請求項９】
放射線撮影装置と、当該放射線撮影装置を制御する放射線撮影制御装置と、を含む放射線撮影システムであって、
オーダー情報を入力する入力部と、
前記オーダー情報に基づいて、被検者の動態を誘導するためのガイダンスを選択するガイダンス選択部と、
前記ガイダンス選択部によって選択されたガイダンスを被検者に知覚可能に出力するガイダンス出力部と、
を具備する放射線撮影システム。
【請求項１０】
前記オーダー情報は、ＨＩＳサーバー又はＲＩＳサーバー出力されたものである、
請求項９に記載の放射線撮影システム。
【請求項１１】
前記入力部及び前記ガイダンス選択部は、前記放射線撮影制御装置に設けられ、
前記ガイダンス出力部は、少なくとも、前記放射線撮影装置が配置された撮影室に設けられる、
請求項９又は１０に記載の放射線撮影システム。
【請求項１２】
前記オーダー情報には、撮影種別、撮影手技及び又は患者情報が含まれており、
前記ガイダンス選択部は、前記撮影種別、撮影手技及び又は患者情報に基づいて前記ガイダンスを選択する、
請求項９から１１のいずれか一項に記載の放射線撮影システム。
【発明の詳細な説明】
【技術分野】
【０００１】
本発明は、放射線撮影システムに用いられる放射線撮影制御装置（いわゆるコンソール装置）、及び放射線撮影システムに関する。
【背景技術】
【０００２】
一般に、放射線撮影システムは、放射線室に設けられる放射線撮影装置と、操作室などに設けられ放射線撮影装置を制御する放射線撮影制御装置（いわゆるコンソール装置）と、を有する。
【０００３】
放射線撮影装置は、放射線発生装置及び放射線検出装置などを備える。放射線検出装置としては、被検体を透過したＸ線を検出し画像データに変換して出力するＦＰＤ（Flat Panel Detector）などが用いられる。ＦＰＤは、放射線検出素子で検出された放射線を電気信号に変換する変換部、変換された電気信号をデジタル化するＡ／Ｄ変換部、デジタル化された信号を撮影画像としてコンソール装置に出力する出力部、これら各部に電力を供給するバッテリーなどを備える。
【０００４】
放射線撮影制御装置は、主として、放射線撮影装置の制御、ＦＰＤから取得した放射線画像の表示、かかる放射線画像のデータに関する画像処理内容等の指示を行うコンピューターである。放射線撮影制御装置は、プロセッサー、マウスやキーボードなどの操作入力部、ＬＣＤ（液晶表示ディスプレイ）などの表示部を備え、表示部に表示されるメニュー画面等の各種画面を通じて、上述した制御、表示、指示等を行う。
【０００５】
ところで、放射線撮影システムにおける一般撮影では、通常の静止画撮影の他に、静止画像を連続して繰り返し撮影する動態撮影（シリアル撮影）が行われている。この動態撮影では、患者の呼吸サイクルを撮影する必要があるので、音声などによるガイダンスを行うことで、被検者の呼吸タイミングと撮影タイミングを同期させるようになっている。
【０００６】
正確なガイダンスを技師が行うのは実際上困難なので、例えば特許文献１のような、被検者の呼吸タイミングと撮影タイミングとが同期するように、被検者の動態を誘導するガイダンスを装置によって行う技術が開示されている。
【先行技術文献】
【特許文献】
【０００７】
【特許文献１】特開２００４−４１２号公報
【発明の概要】
【発明が解決しようとする課題】
【０００８】
ところで、近年の放射線撮影においては、撮影種別が増えてきたこともあり、その撮影種別に応じて、操作者がガイダンスを変更する必要がある。また患者に応じてもガイダンスを変更する必要がある。
【０００９】
一般に、操作者は、一日に数十名近い被検者を撮影するので、撮影種別や患者に応じてガイダンスを切り替えることを忘れるおそれがある。その場合、間違ったガイダンスによって被検者を誘導して撮影が行われてしまうので、目的とする放射線画像を得ることができない。その結果、再撮影の必要が発生して、被検者が余計な被爆するおそれがある。
【００１０】
本発明の目的は、操作者によるガイダンスの選択ミスによって誤ったガイダンスが出力されることを防止できる、放射線撮影制御装置及び放射線撮影システムを提供することである。
【課題を解決するための手段】
【００１１】
本発明の放射線撮影制御装置の一つの態様は、
放射線撮影装置と、当該放射線撮影装置を制御する放射線撮影制御装置と、を含む放射線撮影システムに用いられる前記放射線撮影制御装置であって、
検査のオーダー情報を入力する入力部と、
前記入力部から入力した前記オーダー情報に基づいて、被検者の動態を誘導するためのガイダンスを選択するガイダンス選択部と、
を具備する。
【００１２】
本発明の放射線撮影システムの一つの態様は、
放射線撮影装置と、当該放射線撮影装置を制御する放射線撮影制御装置と、を含む放射線撮影システムであって、
検査のオーダー情報を入力する入力部と、
前記オーダー情報に基づいて、被検者の動態を誘導するためのガイダンスを選択するガイダンス選択部と、
前記ガイダンス選択部によって選択されたガイダンスを被検者に知覚可能に出力するガイダンス出力部と、
を具備する。
【発明の効果】
【００１３】
本発明によれば、オーダー情報を有効活用して、被検者の動態を誘導するためのガイダンスを選択するようにしたので、操作者によるガイダンスの選択ミスに起因して誤ったガイダンスが出力されることを防止できる。
【図面の簡単な説明】
【００１４】
【図１】実施の形態のシステム構成を示す接続図
【図２】実施の形態による放射線撮影制御装置の要部構成を示すブロック図
【図３】ＲＩＳから放射線撮影制御装置に入力されるオーダー情報の例を示す図
【図４】撮影オーダーの内容例を示す図
【図５】撮影時に放射線撮影制御装置に表示される画面例を示す図
【図６】表示装置に表示されるガイダンスの例を示す図
【図７】スピーカーから出力される音声ガイダンスの例を示す図
【図８】実施の形態の放射線撮影システムによる動作を示すフローチャート
【図９】手動にて音声ガイダンスの音量を調節する画面例を示す図
【発明を実施するための形態】
【００１５】
以下、本発明の実施の形態を、図面を参照して説明する。
【００１６】
＜１＞システム構成
図１は、本実施の形態のシステム構成を示す接続図である。撮影室に設けられた放射線撮影装置２０と、操作室に設けられた放射線撮影制御装置（コンソール装置）１０とによって、放射線撮影システムが構成される。また、放射線撮影制御装置１０には、通信ネットワークを介して、画像保存通信システム(ＰＡＣＳ：Picture Archiving and Communication Systems)３１、病院情報システム(ＨＩＳ：Hospital Information Systems)３２、及び放射線科情報システム(ＲＩＳ：Radiology Information Systems)３３が接続されている。放射線撮影システム、ＰＡＣＳ３１、ＨＩＳ３２、及びＲＩＳ３３を含む通信ネットワークにおいては、例えば、ＤＩＣＯＭ（Digital Image and Communications in Medicine）規格に従って情報の送受信が行われる。
【００１７】
放射線撮影装置２０は、高電圧発生装置２１と、Ｘ線管装置２２と、撮影台２３と、ＦＰＤ２４と、を備えている。これらの構成は、よく知られた既知の構成を採用できるので、ここでの説明は省略する。かかる構成に加えて、放射線撮影装置２０は、表示装置２５及びスピーカー２６を有する。表示装置２５及びスピーカー２６は、被検者の動態を誘導するためのガイダンスを出力するための出力装置としての役割を果たす。よって、以下の説明では、表示装置２５及びスピーカー２６を出力装置と呼ぶこともある。
【００１８】
放射線撮影装置２０は、通信ケーブルを介して放射線撮影制御装置１０と接続されている。放射線撮影制御装置１０は、高電圧発生装置２１を制御することで放射線撮影装置２０の撮影動作を制御する。また、放射線撮影制御装置１０は、ＦＰＤ２４により得られた放射線画像の画像解析などを行う。
【００１９】
放射線撮影制御装置１０は、ＨＩＳ３２又はＲＩＳ３３から検査のオーダー情報を入力し、このオーダー情報を画面に表示する。操作者は、表示されたオーダー情報に基づいて、放射線撮影装置２０の制御操作を行う。また、放射線撮影制御装置１０は、オーダー情報に基づいて自動で放射線撮影装置２０を制御する機能を有していてもよい。
【００２０】
＜２＞放射線撮影制御装置の構成
図２は、本実施の形態による放射線撮影制御装置１０の要部構成を示すブロック図である。勿論、放射線撮影制御装置１０は、図２に示した構成以外にも本来の基本的構成を有する。
【００２１】
放射線撮影制御装置１０は、基本構成として、放射線撮影装置２０における放射線画像撮影を制御する制御部、ＦＰＤ２４から取得した放射線画像（例えばＸ線画像）を表示する表示部、かかる放射線画像を画像処理する画像処理部などを備える。
【００２２】
これらの基本構成に加えて、図２に示したように、放射線撮影制御装置１０は、通信部１１と、ガイダンス記憶部１２と、ガイダンス選択部１３と、を備える。
【００２３】
通信部１１は、ＨＩＳ３２、ＲＩＳ３３からの検査のオーダー情報を入力する入力部として機能する。
【００２４】
ガイダンス記憶部１２には、オーダー情報に含まれる撮影種別、撮影手技及び患者情報などに紐付けられて、被検者の動態を誘導するためのガイダンス情報が記憶されている。
【００２５】
ガイダンス選択部１３は、オーダー情報に基づくガイダンスを選択する。ガイダンス選択部１３は、選択したガイダンスを撮影室内の出力装置（表示装置２５及びスピーカー２６）に送る。なお、ガイダンス選択部１３による処理は、ＣＰＵ（Central Processing Unit）、ＲＯＭ（Read Only Memory）、ＲＡＭ（Random Access Memory）を備えたコンピューターによりプログラムに基づいて実現できる。つまり、ＣＰＵは、ＲＯＭから処理内容に応じたプログラムを読み出してＲＡＭに展開し、展開したプログラムと協働してガイダンス選択処理を行うようにすればよい。
【００２６】
これにより、撮影室内の出力装置（表示装置２５及びスピーカー２６）からはオーダー情報に基づくガイダンスが出力される。
【００２７】
図３は、ＲＩＳ３３から放射線撮影制御装置１０に入力されるオーダー情報の例を示したものである。図から分かるように、オーダー情報には、患者情報と撮影オーダー情報とが含まれている。患者情報には、患者の年齢を示す情報や国籍、患者の状態が含まれている。撮影オーダーには、撮影種別（静止画撮影、動態撮影）、検査ＩＤ、妊娠状態が含まれている。
【００２８】
図４及び図５は、撮影オーダーの例を示す図である。図４は撮影オーダーの内容例を示したものであり、図５は撮影時に放射線撮影制御装置１０の表示部に表示される画面例である。
【００２９】
図４及び図５には、３つのオーダーが示されている。図４から分かるように、オーダー１（上段のオーダー）は、撮影種別がシリアル（つまり動態撮影）、撮影手技が深呼吸である。オーダー２（中段のオーダー）は、撮影種別がシリアル、撮影手技が安静呼吸である。オーダー３（下段のオーダー）は、撮影種別がシリアル、撮影手技が息止めである。
【００３０】
図５において、表示画面Ｄの上側には患者情報ＰＩが表示され、左側には検査オーダーの実行を指示するための設定キーＢ１１、Ｂ１２、Ｂ１３が表示されている。また、表示画面Ｄの中央領域ＭＤには、選択された検査オーダーに対応する撮影条件等が表示される。図５の画面において設定キーＢ１１が操作されると、放射線撮影制御装置１０は、放射線撮影装置２０の設定をオーダー１に合わせるとともに、ガイダンス選択部１３によってオーダー１に対応するガイダンスを選択する。同様に、設定キーＢ１２が操作されると、放射線撮影制御装置１０は、放射線撮影装置２０の設定をオーダー２に合わせるとともに、ガイダンス選択部１３によってオーダー２に対応するガイダンスを選択する。
【００３１】
図６は、表示装置２５に表示されるガイダンスの例を示す。図７は、スピーカー２６から出力される音声ガイダンスの例を示す。被検者がこれらのガイダンスに従って呼吸を行うことで、被検者の呼吸タイミングと撮影タイミングが同期するようになり、良好な放射線撮影を行うことができる。
【００３２】
図８は、本実施の形態の放射線撮影システムによる動作を示すフローチャートである。
【００３３】
ステップＳ１１において放射線撮影制御装置１０がＲＩＳ３３からオーダー情報を受信する。勿論、オーダー情報はＨＩＳ３２から受信してもよい。ステップＳ１２において放射線撮影制御装置１０のガイダンス選択部１３がオーダー情報に対応するガイダンスを選択し、ステップＳ１３において選択したガイダンスを出力装置（表示装置２５、スピーカー２６）に設定する。次に、ステップＳ１４において放射線撮影装置２０による撮影が行われる。この撮影時に、出力装置（表示装置２５、スピーカー２６）から設定されたガイダンスが出力される。
【００３４】
以上の構成において、本実施の形態の放射線撮影システムでは、撮影種別、撮影手技、患者情報に適合したガイダンスを出力することができる。
【００３５】
例えばオーダー情報の撮影種別が動態撮影（シーケンス撮影）だった場合には動態撮影に対応したガイダンスが出力され、撮影種別が静止画だった場合には動態撮影に対応したガイダンスが出力される。
【００３６】
また、オーダー情報の撮影手技が深呼吸、安静呼吸、息止めのいずれであるかに応じて、それぞれに対応したガイダンスが出力される。
【００３７】
また、患者情報の年齢に応じたガイダンスが出力される。例えば所定の年齢以上の患者（被検者）には音声レベルを高くしたガイダンスが出力される。また患者情報の国籍に応じた言語のガイダンスが出力される。また患者情報の患者の状態に応じたガイダンスが出力されるようにしてもよい。
【００３８】
ここでは、オーダー情報に基づくガイダンス選択の一例を記載したが、勿論、これらの例に限らない。
【００３９】
＜３＞まとめ
以上説明したように、本実施の形態によれば、放射線撮影制御装置１０に、検査のオーダー情報を入力する入力部としての通信部１１と、オーダー情報に基づいて被検者の動態を誘導するためのガイダンスを選択するガイダンス選択部１３と、を設けたことにより、オーダー情報を有効活用して、操作者によるガイダンスの選択ミスに起因して誤ったガイダンスが出力されることを防止できる。
【００４０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００４１】
上述の実施の形態に加えて、オーダー情報に含まれる患者情報が同一患者を示す場合には、過去のガイダンスと検査結果とを参考に、今回の検査のガイダンスを選択するようにしてもよい。例えば、前回の検査において音声ガイダンスの音量が小さいために再検査する必要があった場合には、今回の検査では前回の検査よりも大きい音量のガイダンスを出力する。
【００４２】
また、上述の実施の形態に加えて、ガイダンスを手動に変更可能な操作部を、さらに設けてもよい。例えば、図９に示したように、手動にて音声ガイダンスの音量を調節する画面を表示して、操作者が被検者の様子を見ながら音量を調整できるようにする。
【００４３】
また、上述の実施の形態に加えて、放射線撮影装置２０が配置された撮影室と、放射線撮影制御装置１０が配置された制御室とに対して、別々の音声ガイダンスを選択して出力するようにしてもよい。例えば、撮影室にはオーダー情報に応じた音量の音声ガイドを出力する一方で、操作室にはオーダー情報に基づいて検査の残り時間を示す音声ガイドを出力してもよい。
【００４４】
また、上述の実施の形態では、呼吸タイミングを誘導するガイダンスを例にとって説明したが、本発明のガイダンスは呼吸タイミングに限らず、例えば体位などであってもよい。
【００４５】
また、上述の実施の形態では、ガイダンス選択部１３を放射線撮影制御装置１０に設けた場合について述べたが、ガイダンス選択部１３は放射線撮影装置２０側に設けてもよい。また、ガイダンス記憶部１２は例えば放射線撮影装置２０側に設けてもよい。あるいはオーダー情報に紐付けられたガイダンス情報をクラウド上に保存しておき、オーダー情報に基づいて選択したガイダンス情報をクラウドから読み出してもよい。
【産業上の利用可能性】
【００４６】
本発明は、ガイダンスにより被検者の動態を誘導する放射線撮影システムに好適である。
【符号の説明】
【００４７】
１０  放射線撮影制御装置
２０  放射線撮影装置
２１  高電圧発生装置
２２  Ｘ線管装置
２３  撮影台
２４  ＦＰＤ
２５  表示装置
２６  スピーカー
３２  ＨＩＳ
３３  ＲＩＳ
【図１】
2020182660.tif 000003
【図２】
2020182660.tif 000004
【図３】
2020182660.tif 000005
【図４】
2020182660.tif 000006
【図５】
2020182660.tif 000007
【図６】
2020182660.tif 000008
【図７】
2020182660.tif 000009
【図８】
2020182660.tif 000010
【図９】
2020182660.tif 000011